【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
ワイヤレスネットワークアクセスポイントと通信するためにクライアントデバイスを動作させる方法であって、
前記クライアントデバイスが、前記ワイヤレスネットワークアクセスポイントから、配信トラフィック識別メッセージ（ＤＴＩＭ）を含むビーコンの第１の部分を受信することと、
前記ＤＴＩＭに基づいて、前記ワイヤレスネットワークアクセスポイントからデータの１つまたは複数のパケットが来つつあるかどうかを判断することと、
前記ビーコンの第２の部分が受信される前に前記クライアントデバイスを低電力動作モードで動作させることと、
を備え、
前記クライアントデバイスを前記低電力動作モードで動作させることは、前記ワイヤレスネットワークアクセスポイントからデータの前記１つまたは複数のパケットが来つつあるかどうか、および、前記クライアントデバイスの内部クロック基準と、前記ビーコンの前記第２の部分のタイミング同期機能（ＴＳＦ）とを使用して、前記クライアントデバイスが前記ワイヤレスネットワークアクセスポイントと同期すべきかどうかに基づく、方法。
【請求項２】
前記ビーコンの前記第２の部分を受信する前に前記クライアントデバイスを前記低電力動作モードで動作させることは、前記クライアントデバイスが前記ビーコンの前記第２の部分を受信することを回避するように、前記クライアントデバイスの通信モジュールをオフにすることを備える、請求項１に記載の方法。
【請求項３】
前記ビーコンの前記第１の部分を受信することが、前記ビーコンの前記第１の部分を処理することを備え、前記ビーコンの前記第２の部分を受信する前に前記クライアントデバイスを前記低電力動作モードで動作させることが、前記ビーコンの前記第２の部分を処理することを回避することを備える、請求項１に記載の方法。
【請求項４】
前記ビーコンの前記第２の部分を受信する前に前記クライアントデバイスを前記低電力動作モードで動作させることが、前記ビーコンに対してフレーム冗長検査（ＦＣＳ）を実行することなしに前記クライアントデバイスを前記低電力動作モードで動作させることをさらに備える、請求項１に記載の方法。
【請求項５】
前記ビーコンの前記第１の部分を受信することが、前記ビーコンのヘッダ部分と、前記ビーコンの複数の情報要素のうちの少なくとも１つの情報要素とを処理することを備える、請求項１に記載の方法。
【請求項６】
前記ビーコンの前記第２の部分を受信する前に前記クライアントデバイスを前記低電力動作モードで動作させることが、前記ビーコンの前記複数の情報要素のうちの少なくとも１つの第２の情報要素を受信または処理することを回避することを備える、請求項５に記載の方法。
【請求項７】
前記ワイヤレスネットワークアクセスポイントからデータのパケットが来つつないことを前記ＤＴＩＭが示す場合、前記ワイヤレスネットワークアクセスポイントとの前記クライアントデバイスの同期をバイパスすること
をさらに備える、請求項１に記載の方法。
【請求項８】
前記ビーコンの前記ＴＳＦが、カウンタ値を備え、前記方法は、
前記ワイヤレスネットワークアクセスポイントと同期するために、前記クライアントデバイスが前記ビーコンを使用すべきかどうかを、前記カウンタ値に少なくとも部分的に基づいて判断すること
をさらに備える、請求項７に記載の方法。
【請求項９】
前記ビーコンが第１のビーコンを備え、前記方法は、
対応ＤＴＩＭと対応タイミング同期機能（ＴＳＦ）とを含む第２のビーコンの少なくとも一部分を受信することと、
前記ワイヤレスネットワークアクセスポイントからパケットが来つつないことを前記第２のビーコンの前記対応ＤＴＩＭが示す場合、前記クライアントデバイスを前記ワイヤレスネットワークアクセスポイントと同期させるために前記第２のビーコンの前記ＴＳＦを使用することと
をさらに備える、請求項７に記載の方法。
【請求項１０】
前記ビーコンが第１のビーコンであり、前記方法は、
前記第１のビーコンを受信した後に、複数のさらなるビーコンを受信することと、
前記ワイヤレスネットワークアクセスポイントとのさらなる通信のために前記クライアントデバイスを同期させるために前記複数のさらなるビーコンのサブセットのＴＳＦを使用することと
をさらに備える、請求項８に記載の方法。
【請求項１１】
前記ビーコンの前記ＴＳＦの値を少なくとも１つのしきい値と比較することと、
前記比較に基づいて、前記ワイヤレスネットワークアクセスポイントとのさらなる通信のため、前記クライアントデバイスを同期させるために前記クライアントデバイスが前記ビーコンの前記ＴＳＦを使用すべきかどうかを判断することと
をさらに備える、請求項１に記載の方法。
【請求項１２】
前記少なくとも１つのしきい値が前記ＴＳＦの期待値を示す、請求項１１に記載の方法。
【請求項１３】
前記ワイヤレスネットワークアクセスポイントからデータの１つまたは複数のパケットが来つつあることを前記ＤＴＩＭが示す場合、データの前記１つまたは複数のパケットを受信するために前記クライアントデバイスをアクティブ動作モードで動作させること
をさらに備える、請求項１に記載の方法。
【請求項１４】
前記ビーコンの前記第２の部分が受信される前に前記クライアントデバイスを前記低電力動作モードで動作させることは、前記クライアントデバイスが前記ビーコンの前記第２の部分を受信することを回避することを備える、請求項１に記載の方法。
【請求項１５】
ワイヤレスネットワークアクセスポイントと通信するように構成されたクライアントデバイスであって、
配信トラフィック識別メッセージ（ＤＴＩＭ）を含むビーコンの第１の部分を受信するように構成された通信モジュールと、
前記ＤＴＩＭに基づいて、前記ワイヤレスネットワークアクセスポイントからデータの１つまたは複数のパケットが来つつあるかどうかを判断するように構成されたデータ処理モジュールと、
前記ビーコンの第２の部分が受信される前に前記クライアントデバイスを低電力動作モードで動作させるように構成された電力モードモジュールと
を備え、
前記クライアントデバイスを前記低電力動作モードで動作させることは、前記ワイヤレスネットワークアクセスポイントからデータの前記１つまたは複数のパケットが来つつあるかどうか、および、前記クライアントデバイスが、前記クライアントデバイスの内部クロック基準と、前記ビーコンの前記第２の部分のタイミング同期機能（ＴＳＦ）とを使用して、前記ワイヤレスネットワークアクセスポイントと同期すべきかどうかに基づく、クライアントデバイス。
【請求項１６】
前記低電力動作モードは、前記クライアントデバイスが前記ビーコンの前記第２の部分を受信することを回避するように、前記クライアントデバイスの前記通信モジュールをオフにすることを備える、請求項１５に記載のクライアントデバイス。
【請求項１７】
前記通信モジュールが、前記ビーコンの前記第１の部分を処理することによって前記ビーコンの前記第１の部分を受信し、前記電力モードモジュールが、前記ビーコンの前記第２の部分を処理することを回避することによって、前記ビーコンの前記第２の部分が前記クライアントデバイスによって受信される前に前記クライアントデバイスを前記低電力動作モードで動作させる、請求項１５に記載のクライアントデバイス。
【請求項１８】
前記電力モードモジュールが、前記ビーコンに対してフレーム冗長検査（ＦＣＳ）を実行することなしに前記クライアントデバイスを前記低電力動作モードで動作させる、請求項１５に記載のクライアントデバイス。
【請求項１９】
前記通信モジュールが、前記ビーコンのヘッダ部分と、前記ビーコンの複数の情報要素のうちの少なくとも１つの情報要素とを処理することによって、前記ビーコンの前記第１の部分を受信する、請求項１５に記載のクライアントデバイス。
【請求項２０】
前記ワイヤレスネットワークアクセスポイントからデータのパケットが来つつないことを前記ＤＴＩＭが示す場合、前記ワイヤレスネットワークアクセスポイントとの前記クライアントデバイスの同期をバイパスするように構成されたＴＳＦモジュールをさらに備える、請求項１５に記載のクライアントデバイス。
【請求項２１】
前記ビーコンの前記ＴＳＦが、前記クライアントデバイスを前記ワイヤレスネットワークアクセスポイントと同期させるために使用されるカウンタ値を備える、請求項２０に記載のクライアントデバイス。
【請求項２２】
前記ビーコンが第１のビーコンを備え、前記通信モジュールが、
対応ＤＴＩＭと対応ＴＳＦとを含む第２のビーコンの少なくとも一部分を受信するようにさらに構成され、前記電力モードモジュールは、
前記ワイヤレスネットワークアクセスポイントからパケットが来つつないことを前記第２のビーコンの前記対応ＤＴＩＭが示す場合、前記クライアントデバイスを前記ワイヤレスネットワークアクセスポイントと同期させるために前記第２のビーコンの前記ＴＳＦを使用するように構成された、請求項２０に記載のクライアントデバイス。
【請求項２３】
前記ビーコンが第１のビーコンであり、前記ＴＳＦモジュールが、
前記第１のビーコンを受信した後に、複数のさらなるビーコンを受信することと、
前記ワイヤレスネットワークアクセスポイントとのさらなる通信のために前記クライアントデバイスを同期させるために前記複数のさらなるビーコンのサブセットのＴＳＦを使用することと
を行うようにさらに構成された、請求項２０に記載のクライアントデバイス。
【請求項２４】
前記ビーコンの前記ＴＳＦの値を少なくとも１つのしきい値と比較することと、
前記比較に基づいて、前記クライアントデバイスを前記ワイヤレスネットワークアクセスポイントと同期させるために前記クライアントデバイスが前記ビーコンの前記ＴＳＦを使用すべきかどうかを判断することと
を行うように構成されたＴＳＦモジュール
をさらに備える、請求項１５に記載のクライアントデバイス。
【請求項２５】
前記少なくとも１つのしきい値が前記ＴＳＦの期待値を示す、請求項２４に記載のクライアントデバイス。
【請求項２６】
前記電力モードモジュールは、
前記ワイヤレスネットワークアクセスポイントからデータの１つまたは複数のパケットが来つつあることを前記ＤＴＩＭが示す場合、データの前記１つまたは複数のパケットを受信するために前記クライアントデバイスをアクティブ動作モードで動作させる
ようにさらに構成された、請求項１５に記載のクライアントデバイス。
【請求項２７】
前記電力モードモジュールが、前記クライアントデバイスに前記ビーコンの前記第２の部分を受信することを回避させるように構成された、請求項１５に記載のクライアントデバイス。
【請求項２８】
ワイヤレスネットワークアクセスポイントと通信するように構成されたクライアントデバイスであって、
配信トラフィック識別メッセージ（ＤＴＩＭ）を含むビーコンの第１の部分を受信するための手段と、
前記ＤＴＩＭに基づいて、前記ワイヤレスネットワークアクセスポイントからデータの１つまたは複数のパケットが来つつあるかどうかを判断するための手段と、
前記ビーコンの第２の部分が受信される前に前記クライアントデバイスを低電力動作モードで動作させるための手段と、
を備え、
前記クライアントデバイスを前記低電力動作モードで動作させることは、前記ワイヤレスネットワークアクセスポイントからデータの前記１つまたは複数のパケットが来つつあるかどうか、および、前記クライアントデバイスが、前記クライアントデバイスの内部クロック基準と、前記ビーコンの前記第２の部分のタイミング同期機能（ＴＳＦ）とを使用して、前記ワイヤレスネットワークアクセスポイントと同期すべきかどうかに基づく、クライアントデバイス。
【請求項２９】
前記ビーコンの前記第２の部分を受信する前に前記クライアントデバイスを前記低電力動作モードで動作させための手段が、前記クライアントデバイスが前記ビーコンの前記第２の部分を受信することを回避するように、前記クライアントデバイスの通信モジュールをオフにするための手段をさらに備える、請求項２８に記載のクライアントデバイス。
【請求項３０】
前記ビーコンの前記第１の部分を受信するための手段が、前記ビーコンの前記第１の部分を処理するための手段を備え、前記ビーコンの前記第２の部分を受信する前に前記クライアントデバイスを前記低電力動作モードで動作させるための手段が、前記ビーコンの前記第２の部分を処理することを回避するための手段を備える、請求項２８に記載のクライアントデバイス。
【請求項３１】
前記ビーコンの前記第２の部分を受信する前に前記クライアントデバイスを前記低電力動作モードで動作させるための前記手段が、前記ビーコンに対してフレーム冗長検査（ＦＣＳ）を実行することなしに前記クライアントデバイスを前記低電力動作モードで動作させるための手段をさらに備える、請求項２８に記載のクライアントデバイス。
【請求項３２】
前記ビーコンの前記第１の部分を受信するための手段が、前記ビーコンのヘッダ部分と、前記ビーコンの複数の情報要素のうちの少なくとも１つの情報要素とを処理するための手段を備える、請求項２８に記載のクライアントデバイス。
【請求項３３】
前記ビーコンの前記第２の部分を受信する前に前記クライアントデバイスを前記低電力動作モードで動作させるための手段が、前記ビーコンの前記複数の情報要素のうちの少なくとも１つの第２の情報要素を受信または処理することを回避するための手段を備える、請求項３２に記載のクライアントデバイス。
【請求項３４】
前記ワイヤレスネットワークアクセスポイントからデータのパケットが来つつないことを前記ＤＴＩＭが示す場合、前記ワイヤレスネットワークアクセスポイントとの前記クライアントデバイスの同期をバイパスするための手段
をさらに備える、請求項２８に記載のクライアントデバイス。
【請求項３５】
前記ビーコンの前記ＴＳＦが、カウンタ値を備え、前記デバイスは、
前記ワイヤレスネットワークアクセスポイントと同期するために、前記クライアントデバイスが前記ビーコンを使用するべきかどうかを、前記カウンタ値に少なくとも部分的に基づいて判断するための手段
をさらに備える、請求項３４に記載のクライアントデバイス。
【請求項３６】
前記ビーコンが第１のビーコンを備え、前記デバイスは、
対応ＤＴＩＭと対応ＴＳＦとを含む第２のビーコンの少なくとも一部分を受信するための手段と、
前記ワイヤレスネットワークアクセスポイントからパケットが来つつないことを前記第２のビーコンの前記対応ＤＴＩＭが示す場合、前記クライアントデバイスを前記ワイヤレスネットワークアクセスポイントと同期させるために前記第２のビーコンの前記ＴＳＦを使用するための手段と
をさらに備える、請求項３４に記載のクライアントデバイス。
【請求項３７】
前記第１のビーコンを受信した後に、複数のさらなるビーコンを受信するための手段と、
前記ワイヤレスネットワークアクセスポイントとのさらなる通信のために前記クライアントデバイスを同期させるために前記複数のさらなるビーコンのサブセットのＴＳＦを使用するための手段と
をさらに備える、請求項３６に記載のクライアントデバイス。
【請求項３８】
前記ビーコンの前記ＴＳＦの値を少なくとも１つのしきい値に比較するための手段と、
前記比較に基づいて、前記クライアントデバイスを前記ワイヤレスネットワークアクセスポイントと同期させるために前記クライアントデバイスが前記ビーコンの前記ＴＳＦを使用すべきかどうかを判断することとための手段と
をさらに備える、請求項２８に記載のクライアントデバイス。
【請求項３９】
前記少なくとも１つのしきい値が前記ＴＳＦの期待値を示す、請求項３８に記載のクライアントデバイス。
【請求項４０】
前記ワイヤレスネットワークアクセスポイントからデータの１つまたは複数のパケットが来つつあることを前記ＤＴＩＭが示す場合、データの前記１つまたは複数のパケットを受信するために、前記クライアントデバイスをアクティブ動作モードで動作させるための手段
をさらに備える、請求項２８に記載のクライアントデバイス。
【請求項４１】
前記クライアントデバイスが前記ビーコンの前記第２の部分を受信することを回避することによって、前記ビーコンの前記第２の部分が受信される前に前記クライアントデバイスを前記低電力動作モードで動作させるための手段
をさらに備える、請求項２８に記載のクライアントデバイス。
【請求項４２】
コンピューティングデバイスに、
クライアントデバイスがワイヤレスネットワークアクセスポイントから、配信トラフィック識別メッセージ（ＤＴＩＭ）を含むビーコンの第１の部分を受信することと、
前記ＤＴＩＭに基づいて、前記ワイヤレスネットワークアクセスポイントからデータの１つまたは複数のパケットが来つつあるかどうかを判断することと、
前記ビーコンの第２の部分が受信される前に前記クライアントデバイスを低電力動作モードで動作させることと、
を行わせるように構成された命令を記憶し、
前記クライアントデバイスを前記低電力動作モードで動作させることは、前記ワイヤレスネットワークアクセスポイントからデータの前記１つまたは複数のパケットが来つつあるかどうか、および、前記クライアントデバイスが、前記クライアントデバイスの内部クロック基準と、前記ビーコンの前記第２の部分のタイミング同期機能（ＴＳＦ）とを使用して、前記ワイヤレスネットワークアクセスポイントと同期すべきかどうかに基づく、非一時的なコンピュータ可読記憶媒体。
【請求項４３】
前記コンピューティングデバイスに、前記ビーコンの前記第２の部分を受信する前に前記クライアントデバイスを前記低電力動作モードで動作させることを行わせるように構成された前記命令は、前記コンピューティングデバイスに、前記クライアントデバイスが前記ビーコンの前記第２の部分を受信することを回避するように、前記クライアントデバイスの通信モジュールをオフにすることを行わせるようにさらに構成された、請求項４２に記載の非一時的なコンピュータ可読記憶媒体。
【請求項４４】
前記コンピューティングデバイスに、前記ビーコンの前記第１の部分を受信することを行わせるように構成された前記命令は、前記コンピューティングデバイスに、前記ビーコンの前記第１の部分を処理することをさらに行わせ、
前記コンピューティングデバイスに、前記ビーコンの前記第２の部分を受信する前に前記クライアントデバイスを前記低電力動作モードで動作させることを行わせるように構成された前記命令は、前記コンピューティングデバイスに、前記ビーコンの前記第２の部分を処理することを回避することを行わせる、請求項４２に記載の非一時的なコンピュータ可読記憶媒体。
【請求項４５】
前記コンピューティングデバイスに、前記ビーコンの前記第２の部分を受信する前に前記クライアントデバイスを前記低電力動作モードで動作させることを行わせるように構成された前記命令は、前記コンピューティングデバイスに、前記ビーコンに対してフレーム冗長検査（ＦＣＳ）を実行することなしに前記クライアントデバイスを電力節約動作モードで動作させることをさらに行わせる、請求項４２に記載の非一時的なコンピュータ可読記憶媒体。
【請求項４６】
前記ビーコンの前記第１の部分が、前記ビーコンのヘッダ部分と、前記ビーコンの複数の情報要素のうちの少なくとも１つの情報要素とを備える、請求項４２に記載の非一時的なコンピュータ可読記憶媒体。
【請求項４７】
前記コンピューティングデバイスに、前記ビーコンの前記第２の部分を受信する前に前記クライアントデバイスを前記低電力動作モードで動作させることを行わせるように構成された前記命令は、前記コンピューティングデバイスに、前記ビーコンの前記複数の情報要素のうちの少なくとも１つの第２の情報要素を受信または処理することを回避させることをさらに行わせる、請求項４６に記載の非一時的なコンピュータ可読記憶媒体。
【請求項４８】
前記命令が、前記コンピューティングデバイスに、
前記ワイヤレスネットワークアクセスポイントからデータのパケットが来つつないことを前記ＤＴＩＭが示す場合、前記ワイヤレスネットワークアクセスポイントとの前記クライアントデバイスの同期をバイパスすること
をさらに行わせる、請求項４２に記載の非一時的なコンピュータ可読記憶媒体。
【請求項４９】
前記ビーコンの前記ＴＳＦがカウンタ値を備え、前記命令は、前記コンピューティングデバイスに、
前記クライアントデバイスを前記ワイヤレスネットワークアクセスポイントと同期させるために、前記クライアントデバイスが前記ビーコンを使用するべきかどうかを、前記カウンタ値に少なくとも部分的に基づいて判断すること
をさらに行わせる、請求項４８に記載の非一時的なコンピュータ可読記憶媒体。
【請求項５０】
前記ビーコンが第１のビーコンを備え、前記命令は、前記コンピューティングデバイスに、
対応ＤＴＩＭと対応ＴＳＦとを含む第２のビーコンの少なくとも一部分を受信することと、
前記ワイヤレスネットワークアクセスポイントからパケットが来つつないことを前記第２のビーコンの前記対応ＤＴＩＭが示す場合、前記ワイヤレスネットワークアクセスポイントとのさらなる通信のために前記クライアントデバイスを同期させるために前記第２のビーコンの前記ＴＳＦを使用すること
をさらに行わせる、請求項４８に記載の非一時的なコンピュータ可読記憶媒体。
【請求項５１】
前記命令が、前記コンピューティングデバイスに、
前記第１のビーコンを受信した後に、複数のさらなるビーコンを受信することと、
前記ワイヤレスネットワークアクセスポイントとのさらなる通信のために前記クライアントデバイスを同期させるために前記複数のさらなるビーコンのサブセットのＴＳＦを使用することと
をさらに行わせる、請求項５０に記載の非一時的なコンピュータ可読記憶媒体。
【請求項５２】
前記命令は、前記コンピューティングデバイスに、
前記ビーコンの前記ＴＳＦの値を少なくとも１つのしきい値と比較することと、
前記比較に基づいて、前記クライアントデバイスを前記アクセスポイントと同期させるために前記クライアントデバイスが前記ビーコンの前記ＴＳＦを使用すべきかどうかを判断することと
をさらに行わせる、請求項４２に記載の非一時的なコンピュータ可読記憶媒体。
【請求項５３】
前記少なくとも１つのしきい値が前記ＴＳＦの期待値を示す、請求項５２に記載の非一時的なコンピュータ可読記憶媒体。
【請求項５４】
前記命令は、前記コンピューティングデバイスに、
前記ワイヤレスネットワークアクセスポイントからデータの１つまたは複数のパケットが来つつあることを前記ＤＴＩＭが示す場合、データの前記１つまたは複数のパケットを受信するために前記クライアントデバイスをアクティブ動作モードで動作させること
をさらに行わせる、請求項４２に記載の非一時的なコンピュータ可読記憶媒体。
【請求項５５】
前記コンピューティングデバイスに、前記ビーコンの第２の部分が受信される前に前記クライアントデバイスを前記低電力動作モードで動作させることを行わせるように構成された前記命令は、
前記コンピューティングデバイスに、前記ビーコンの前記第２の部分を受信することを回避すること、
をさらに行わせる、請求項４２に記載の非一時的なコンピュータ可読記憶媒体。